(57)【要約】  【課題】電池パック２の蓄電池をコードレスランプ自体で安全にリフレッシュ放電させることができ、平面を組み合わせた反射板８によって周囲が暗くなることなく必要な場所を明るく照らし、蛍光シール９によって暗いところでも置き場所がすぐに分かるコードレス機器及びコードレスランプを提供する。  【解決手段】コードレスランプ自体に電池パック２の蓄電池をリフレッシュ放電させるリフレッシュ回路を設け、蛍光管３の背面側に平面を組み合わせて凹状とした反射板８を配置し、蛍光管カバー４に蛍光シール９を貼付して構成する。【選択図】              図１
2010205736.tif 000002
【特許請求の範囲】
【請求項１】
着脱可能な電池パックを装着したコードレスランプにおいて、光源を覆う光源カバーに燐光を発する蛍光面が形成されたことを特徴とするコードレスランプ。
【請求項２】
前記コードレス機器がコードレスランプである場合の光源を覆う光源カバー、又は、前記コードレスランプの光源を覆う光源カバーが、開口基部を本体の光源カバー装着部に嵌合して回転により係止するものであることを特徴とする請求項１に記載のコードレス機器又はコードレスランプ。
【請求項３】
前記光源カバーの開口基部が、Ｏリングを介して本体の光源カバー装着部に嵌入されることにより防水されたことを特徴とする請求項２に記載のコードレス機器又はコードレスランプ。
【請求項４】
前記コードレス機器又は前記コードレスランプを吊り下げるためのフックが、本体又は光源カバーの内部又は表面に沿って収納可能に取り付けられたことを特徴とする請求項１，２又は３に記載のコードレス機器又はコードレスランプ。
【請求項５】
前記コードレス機器の動作時、又は、前記コードレスランプの光源の点灯時に点灯する表示ランプを備えると共に、前記電池パックの蓄電池の電池容量が放電により低下し、かつ、この容量低下によりコードレス機器の動作が停止し、又は、コードレスランプの光源が消灯するより前に、この表示ランプを消灯させる表示ランプ消灯手段が設けられたことを特徴とする請求項１，２，３又は４に記載のコードレス機器又はコードレスランプ。
【発明の詳細な説明】
【技術分野】
【０００１】
本発明は、着脱可能な電池パックを装着したコードレスランプ等のコードレス機器に関する。
【背景技術】
【０００２】
着脱可能な電池パックを装着した蛍光管を用いるコードレスランプは、照度が高く広い範囲に照射可能であり消費電力も少ないことから、懐中電灯に代わる携帯用の照明器具として種々の用途での普及が期待されている。また、コードレスランプ以外にも、着脱可能な電池パックを装着した電動工具等のコードレス機器は、広く利用されている。
【発明の概要】
【発明が解決しようとする課題】
【０００３】
ところが、これらのコードレス機器に用いる電池パックは、ニッケルカドミウム電池等のメモリ効果を有する二次電池が主として用いられるため、充電を行う前には一旦完全に放電させておく必要がある。しかしながら、従来は、充電器にこのような放電を行うリフレッシュ機能を備えたものはあったが、コードレス機器自体にはリフレッシュ機能を備えたものはなかった。このため、使用を終えたときに蓄電池が十分に放電し切っていなかった場合には、一旦電池パックを外してリフレッシュ機能付きの充電器にセットしなければならず、その後に急遽コードレス機器を再使用したくなったとき等には、充電器にセットした電池パックを再装着するか、予備の電池パックを使用する他なく、この手間が煩わしいという問題があった。また、コードレス機器の電源をＯＮにした状態で放置しておいても、電池パックの蓄電池の放電は可能であるが、電動工具のモータを動作させたり蛍光管や白熱電球を点灯させたままで放置することは、安全上に問題がある。
【０００４】
しかも、従来のコードレスランプは、光源の背面側に、半円筒面や半球面、放物面等の湾曲した曲面を備えた反射板を配置していたので、照度が全体に均一に分散してしまい、特に明るく照明したい部分に十分な照度が得られなかったり、逆にスポットライト状に、照度が中央に集中しすぎて周囲が暗くなるという問題があった。
【０００５】
また、従来のコードレスランプは、使用を終えて消灯し暗い場所に置くと、その後再使用しようとしたときに、置き場所が分からなくなるという問題もあった。
【０００６】
本発明は、かかる事情に対処するためになされたものであり、電池パックの蓄電池を機器の本体側で安全に放電させることができ、周囲が暗くなることなく必要な場所は明るく照らし、暗いところでも置き場所がすぐに分かるコードレス機器及びコードレスランプを提供することを目的としている。
【課題を解決するための手段】
【０００７】
上記課題を解決するために、請求項１に記載の発明は、コードレスランプが、着脱可能な電池パック（２）を装着したコードレスランプにおいて、光源（３）を覆う光源カバー（４）に燐光を発する蛍光面が形成されたことを特徴とする  。
【０００８】
請求項１の発明によれば、光源（３）の点灯時には、蛍光面に光が照射されるので、光源の消灯後も、この蛍光面が暫くの間燐光を発することになる。従って、コードレスランプを消灯して暗い場所に置いても、置き場所が分からなくなるようなことがなくなる。
【０００９】
また、請求項２に記載の発明は、コードレス機器又はコードレスランプが、前記コードレス機器がコードレスランプである場合の光源を覆う光源カバー（４）、又は、前記コードレスランプの光源を覆う光源カバーが、開口基部（１ａ）を本体（１）の光源カバー装着部（４ａ）に嵌合して回転により係止するものであることを特徴とする。
【００１０】
請求項２の発明によれば、光源カバー（４）が本体の光源カバー装着部（４ａ）に嵌入して回転させることにより係止されるので、光源（３）の交換時に、光源カバー（４）を工具を用いて外すような手間が不要となる。
【００１１】
また、請求項３に記載の発明は、コードレス機器又はコードレスランプが、前記光源カバーの開口基部（１ａ）が、Ｏリング（７）を介して本体の光源カバー装着部（４ａ）に嵌入されることにより防水されたことを特徴とする。
【００１２】
請求項３の発明によれば、光源カバーの開口基部（１ａ）と本体の光源カバー装着部（４ａ）との間がＯリングによって封止されるので、コードレス機器やコードレスランプの防水を図ることができる。
【００１３】
また、請求項４に記載の発明は、コードレス機器又はコードレスランプが、前記コードレス機器又は前記コードレスランプを吊り下げるためのフック（１０）が、本体又は光源カバー（４）の内部又は表面に沿って収納可能に取り付けられたことを特徴とする。
【００１４】
請求項４の発明によれば、コードレス機器やコードレスランプを吊り下げるフックが収納可能となるため、これらの機器を容易に吊り下げて置くことができると共に、使用時には邪魔にならないようにすることができる。
【００１５】
更に、請求項５に記載の発明は、コードレス機器又はコードレスランプが、前記コードレス機器の動作時、又は、前記コードレスランプの光源の点灯時に点灯する表示ランプ（６）を備えると共に、前記電池パック（２）の蓄電池の電池容量が放電により低下し、かつ、この容量低下によりコードレス機器の動作が停止し、又は、コードレスランプの光源（３）が消灯するより前に、この表示ランプ（６）を消灯させる表示ランプ消灯手段が設けられたことを特徴とする。
【００１６】
請求項５の発明によれば、コードレス機器やコードレスランプの使用時には表示ランプ（６）が点灯するが、この使用に伴い電池パック（２）の蓄電池の電池容量が低下すると、まず表示ランプ（６）が消灯し、その後コードレス機器の動作が停止したり、コードレスランプの光源（３）が消灯する。従って、コードレス機器やコードレスランプの使用者は、表示ランプ（６）が消灯することにより、電池パックの蓄電池の電池容量が残り少ないことを知ることができるので、簡易な残量計として利用することができるようになる。
【発明の効果】
【００１７】
以上の説明から明らかなように、本発明のコードレス機器及びコードレスランプによれば、電池パックを本体に装着したままで安全にリフレッシュ放電させることができるようになる。
【００１８】
また、本発明のコードレスランプによれば、複数の平面を備えた反射面を用いることにより、周囲が暗くなりすぎることなく、使用者が注目する部分を明るく照らし出すことができるようになる。しかも、光源カバーに形成された蛍光面によって、暗い場所でもコードレスランプの置き場所が分からなくなるのを防ぐことができる。
【図面の簡単な説明】
【００１９】
【図１】本発明の一実施形態を示すものであって、コードレスランプの全体斜視図である。
【図２】本発明の一実施形態を示すものであって、コードレスランプの本体に取り付ける電池パックを示す部分斜視図である。
【図３】本発明の一実施形態を示すものであって、蛍光管カバーを取り外したコードレスランプの全体斜視図である。
【図４】本発明の一実施形態を示すものであって、蛍光管とこの蛍光管に取り付けられる反射板を示す拡大斜視図である。
【図５】本発明の一実施形態を示すものであって、蛍光管カバーに貼付された蛍光シールとこの蛍光管カバーに取り付けられたフックを示す部分拡大斜視図である。
【発明を実施するための形態】
【００２０】
以下、本発明の実施形態について図面を参照して説明する。
図１〜図５は本発明の一実施形態を示すものであって、図１はコードレスランプの全体斜視図、図２はコードレスランプの本体に取り付ける電池パックを示す部分斜視図、図３は蛍光管カバーを取り外したコードレスランプの全体斜視図、図４は蛍光管とこの蛍光管に取り付けられる反射板を示す拡大斜視図、図５は蛍光管カバーに貼付された蛍光シールとこの蛍光管カバーに取り付けられたフックを示す部分拡大斜視図である。
【００２１】
本実施形態は、蛍光管を用いたコードレスランプについて説明する。このコードレスランプは、図１に示すように、手で握ることのできる棒状の本体１の下端部に電池パック２が装着されている。電池パック２は、図２に示すように、本体１の下端部に下方から押し込むことにより装着される。また、この棒状の本体１の上端部には、蛍光管３が取り付けられると共に、この蛍光管３の周囲を覆うように、蛍光管カバー４が装着されている。蛍光管３は、ここでは、２本の直管を並べて上端部で繋いだ形状のものを用いているが、本発明では、この管の形状は特に限定されない。また、コードレスランプは、このような蛍光管３に代えて、他の放電灯や白熱電球等の任意の光源を用いることができる。
【００２２】
このコードレスランプは、本体１の背面側に配置した図示しない電源スイッチを投入することにより、電池パック２の蓄電池から電源の供給を受けて、本体１内のインバータ回路が動作し、このインバータ回路の高周波交流電源によって蛍光管３が点灯するようになっている。
【００２３】
上記コードレスランプの本体１の前面には、上部にリフレッシュスイッチ５が設けられると共に、このリフレッシュスイッチ５の下方にＬＥＤ６が配置されている。リフレッシュスイッチ５は、本体１内に設けられたリフレッシュ回路を動作させるためのスイッチであり、使用者が１度押すことにより、このリフレッシュ回路が動作して電池パック２の蓄電池のリフレッシュ放電が開始される。本実施形態の電池パック２は、蓄電池にニッケルカドミウム電池を用いているので、十分に放電されることなく充電が行われると、メモリ効果によって電池容量のすべてを放電することができないようになる。そこで、使用者がこのリフレッシュスイッチ５を押すことにより、予め蓄電池を完全放電させてリフレッシュを行っておけば、次の充電時にメモリ効果が生じるようなことがなくなり、高価なリフレッシュ機能付きの充電器を用いる必要もなくなる。しかも、リフレッシュ回路は、蓄電池からの放電電流が所定値を超えないように制限して放電を行わせるので、この蓄電池にダメージを与えたり、発熱によって外部に危険を及ぼすようなおそれが生じない。ＬＥＤ６は、赤色と緑色の発光が可能な発光ダイオードであり、このリフレッシュ回路による放電の開始に伴って赤色に点灯し、リフレッシュ放電が完了すると、電源を失うことにより消灯するようになっている。従って、使用者は、このＬＥＤ６の赤色の点灯と消灯によって、放電中であることやリフレッシュ放電の完了を知ることができる。
【００２４】
上記リフレッシュ回路による放電中にリフレッシュスイッチ５が再度押されると、このリフレッシュ回路によるリフレッシュ放電が中止されるようになっている。また、このリフレッシュ放電の中止に伴って、ＬＥＤ６も消灯する。従って、使用者が作業を終えてリフレッシュスイッチ５を押すことにより一旦放電を開始させても、再び作業を行う必要が生じたような場合には、このリフレッシュスイッチ５をもう一度押すことにより、再度コードレスランプを使用することができるようになる。また、このリフレッシュスイッチ５をもう一度押す代わりに、電源スイッチを投入しても、リフレッシュ放電が中止されるようになっている。特に、この電源スイッチを投入する場合には、直ちに蛍光管３が点灯するので、リフレッシュスイッチ５による放電中止の操作を省略でき、手間を省くことができる。ここで、コードレスランプ自体にこのようなリフレッシュ機能が備わっていないとすると、使用者は、作業を終えたときに、直ちにコードレスランプから電池パック２を取り外して、リフレッシュ機能付きの充電器にセットしなければならない。しかし、その直後に再び作業を続行する必要が生じた場合には、予備の電池パック２をコードレスランプに装着していない限り、充電器にセットされた電池パック２を再び装着し直してからでなければ使用できないので、この手間が煩わしいものとなる。また、蛍光管３を点灯し続けることによっても蓄電池の放電は可能であるが、不使用のコードレスランプを点灯したまま放置することは、安全上問題があり、蛍光管３の寿命を無駄に縮めるので不経済でもある。
【００２５】
なお、上記リフレッシュ回路による放電機能は、本実施形態で示したようなコードレスランプに限らず、コードレス電動工具等のように電池パック２を装着する他のコードレス機器にも同様に実施可能である。
【００２６】
上記ＬＥＤ６は、電源スイッチを投入して蛍光管３を点灯させた場合には、緑色に発光するようになっている。ただし、このＬＥＤ６の点灯回路は、電池パック２の蓄電池の電池容量が放電により所定値よりも低下すると、ＬＥＤ６を消灯させる。しかも、このＬＥＤ６を消灯させるための所定値は、まだ蛍光管３を点灯させるには十分な電池容量に設定されている。このため、コードレスランプの電源スイッチを投入して蛍光管３を点灯させると、通常はＬＥＤ６が緑色に点灯し、使用に伴って電池パック２の蓄電池が放電し電池容量が少なくなった場合に、まずＬＥＤ６が消灯し、その後に蛍光管３が電池容量不足によって消灯することになる。従って、コードレスランプの使用者は、このＬＥＤ６の消灯により電池パック２の電池切れを事前に知ることができ、簡易な電池の残量計として利用することができるので、作業の進捗状況に応じて、この作業を急ぎ終わらせたり、作業を中断して電池パック２の交換や充電等の措置を取ることができるようになる。
【００２７】
なお、ここでは、ＬＥＤ６を放電機能の表示ランプと兼用する場合について説明したが、それぞれ独立の表示ランプを用いることもできる。また、このような表示ランプを簡易な電池の残量計として用いることは、本実施形態で示した蛍光管３を用いたコードレスランプに限らず、他のコードレス機器にも同様に実施可能である。
【００２８】
上記コードレスランプの蛍光管カバー４は、図３に示すように、本体１の上端部に設けられた蛍光管カバー装着部１ａの螺子に下端部を螺合することにより装着されるようになっている。蛍光管カバー４は、蛍光管３を覆う透明な樹脂製の筒体であり、上端面が塞がれると共に、下端部に不透明な樹脂製の筒状の開口基部４ａが接着により封止して取り付けられている。そして、この開口基部４ａの内周面に形成された螺子が本体１の蛍光管カバー装着部１ａの螺子に螺合することにより、蛍光管カバー４が装着されることになる。また、この本体１の蛍光管カバー装着部１ａの螺子の下方には、Ｏリング７が外嵌されているので、蛍光管カバー４の開口基部４ａは、螺子の下方の内周面がＯリング７の外周に密着し、この蛍光管カバー４と本体１との間を封止することにより、外部からの水の浸入を防ぐことができるようになる。このため、この蛍光管カバー４の開口基部４ａの内周面は、螺子の下方が平滑面に形成されると共に、下端部をテーパ面とすることにより、外径が大きいＯリング７に円滑に外嵌できるようになっている。
【００２９】
従来のコードレスランプでは、蛍光管カバー４がボルト等によって本体１に取り付けられていた。しかし、本実施形態のように、蛍光管カバー４が螺子によって簡単に着脱できるようになると、蛍光管３の交換が極めて容易となる。しかも、本体１と蛍光管カバー４との間は、Ｏリング７によって封止されるので、本体１も適当な措置を施すことにより、コードレスランプ全体に防水機能を持たせることもできる。なお、本実施形態では、蛍光管カバー４を螺子によって蛍光管カバー装着部１ａに取り付ける場合について説明したが、この蛍光管カバー装着部１ａに嵌合して回転によって係止する構造であれば必ずしも螺子に限定されるものではない。また、蛍光管３に限らず、白熱電球等の他の光源を用いるコードレスランプにも同様に実施可能である。
【００３０】
上記蛍光管３には、反射板８が取り付けられている。反射板８は、図４に示すように、アルミニウム板を蛍光管３の長手方向に沿った４本の折り曲げ線で同一方向に折り曲げることにより、凹状の内側面となる５面の平面が端部ほどこの蛍光管３側に傾斜するようにしたものである。従って、この反射板８は、正十角柱の肉圧の薄い筒を軸方向に沿って対角線で二等分した形状となる。また、この反射板８は、内側面の５面の平面からなる反射面を鏡面に仕上げている。この反射板８は、内側面の上下の端部から突設されたホルダ８ａ，８ａによって蛍光管３の上下の端部を挟持することにより、この蛍光管３の背面側に取り付けられる。
【００３１】
上記反射板８が従来のように半円筒面等の曲面だけからなる場合には、蛍光管３からの光が全体に均一に分散してしまい、中央部分に十分な照度が得られなかったり、逆にこの光がスポット状に中央に集中し、周囲が暗くなりすぎることになる。しかし、本実施形態のように、反射板８が５面の平面からなる反射面を備えていると、蛍光管３からの反射光が特定の光軸上に集中するようなことがなくなるので、周囲が暗くなって照明が見辛くなるようなことがない。また、この反射面は、５面の平面を蛍光管３の背面側を囲むように凹状に配置しているので、蛍光管３からの反射光が周囲に分散しすぎるようなこともなくなり、使用者が注目している場所を明るく照らすことができるようになる。
【００３２】
なお、上記実施形態では、反射板８を蛍光管３に取り付ける場合について説明したが、本体１に立設したり蛍光管カバー４の内周面に取り付けることもできる。また、本実施形態では、十角柱の筒を２分割した形状の反射板８について説明したが、２分割により３面以上の傾斜した平面からなる反射面が得られればよいので、六角柱以上であれば何角の多角柱の筒であってもよい。さらに、このような反射板８ではなく、反射ブロックの凹状の内側面に反射面を形成したり、蛍光管カバー４の内周面に反射面を形成することもできる。また、上記実施形態では、細長い蛍光管３を用いたために、反射面の各平面が全てこの蛍光管３の軸線に平行となる場合について説明したが、コードレスランプが球状の蛍光管や白熱電球のような光源を用いる場合には、複数枚の平面を半球状に組み合わせて反射面とすることもできる。さらに、この反射面は、すべて平面で構成されている必要はなく、各平面の境界部分が曲面となっていてもよい。また、この反射面は、鏡面に限らず、乳白色等のように光を乱反射させるような面でもよく、吸光度の低い面であればどのような反射面であってもよい。
【００３３】
上記コードレスランプは、図５に示すように、蛍光管カバー４の円筒状の上端部に全周にわたって蛍光シール９が貼付されている。蛍光シール９は、ルミネセンスの一種である燐光により、光を受けるとその後暫く発光し続ける性質を持った蛍光材からなる蛍光面を形成したシールであり、蛍光管３が点灯すると、透明な蛍光管カバー４を通して裏面側から光を受けるので、この蛍光管３が消灯した後も暫く光を発することができる。従って、このコードレスランプを使用後に消灯して暗い場所に置いたとしても、蛍光シール９の発光により置き場所がすぐに分かるので、再度使用したくなった場合に、コードレスランプを探し回るようなことがなくなる。また、普段から部屋の照明が十分に当たる場所にコードレスランプを置いている場合には、この照明の電源を落としたときや停電によって急に部屋が暗くなったようなときでも、コードレスランプの置き場所が分かり易いので、非常用の照明として用いることができるようになる。
【００３４】
なお、本実施形態では、蛍光管カバー４に蛍光シール９を貼付する場合について説明したが、蛍光管カバー４の表面や内面に蛍光材を直接塗布する等して蛍光面を形成することもできる。また、この蛍光面は、蛍光管カバー４の全周に形成されていれば、周囲のどの方向からも見易くなるが、蛍光管カバー４の透明な部分を通して反対側からも見ることはできるので、全周の一部にのみ形成されていてもよい。さらに、本実施形態では、この蛍光面を蛍光管３を用いたコードレスランプに形成する場合について説明したが、白熱電球等の他の光源を用いるコードレスランプにも同様に実施可能である。
【００３５】
上記コードレスランプの蛍光管カバー４の上端には、このコードレスランプを吊り下げるためのフック１０が揺動自在に取り付けられている。このフック１０は、コードレスランプを置き場所に仕舞って置くために吊り下げる場合や、使用時に作業する手を空けるために吊り下げる場合には、図５に示すように、蛍光管カバー４の上端面から直立させた状態にする。しかし、このフック１０を利用しない場合には、四半回転させて蛍光管カバー４の上端面に沿い密着させて収納できるようになっている。この際、蛍光管カバー４の上端面には、円形の突起４ｂが突設されているので、図１に示すように、収納されたフック１０は、突起４ｂの周囲を囲むようにして収まり、使用時にどこかに引っ掛かって邪魔になるようなおそれも生じない。
【００３６】
なお、本実施形態では、フック１０を蛍光管カバー４に取り付ける場合について説明したが、コードレスランプの本体１に取り付けることもできる。ただし、コードレスランプの場合は、通常は電池パック２の部分が最も重いので、この電池パック２の装着部から一番遠い端部に設けるのが好ましい。また、本実施形態では、フック１０を揺動自在に取り付けることにより収納可能としたが、スライド機構により蛍光管カバー４や本体１の内部から引き出すことができるようにしてもよい。さらに、本実施形態では、コードレスランプに取り付けたフック１０について説明したが、電動工具等の他のコードレス機器にも同様に実施可能である。
【符号の説明】
【００３７】
１    本体
１ａ  蛍光管カバー装着部
２    電池パック
３    蛍光管
４    蛍光管カバー
４ａ  装着部
４ｂ  突起
５    リフレッシュスイッチ
６    ＬＥＤ
７    Ｏリング
８    反射板
８ａ  ホルダ
９    蛍光シール
１０    フック
【図１】
2010205736.tif 000003
【図２】
2010205736.tif 000004
【図３】
2010205736.tif 000005
【図４】
2010205736.tif 000006
【図５】
2010205736.tif 000007